(57)【要約】【課題】  装飾部材の付替えが極めて容易で、併せて、多大な制作コストを要せずに装飾部材に豊富なバリエーションを付与することがこともでき、しかも、デザインを損なうことなく様々な形態の眼鏡フレームに対して適用することが可能な眼鏡フレームの装飾構造を提供すること。【解決手段】  眼鏡フレーム１にマグネット体11を埋設し、埋設された前記マグネット体11に対して装飾部材２の磁石部21、或いは磁性部22を磁着可能に構成した。【選択図】  図１
0003137245.tif 000002
【実用新案登録請求の範囲】
【請求項１】
眼鏡フレーム１にマグネット体11が埋設され、埋設された前記マグネット体11に対して装飾部材２の磁石部21或いは磁性部22が磁着可能に構成されていることを特徴とする眼鏡フレームの装飾構造。
【請求項２】
眼鏡フレーム１に磁性体12が埋設され、埋設された前記磁性体12に対して装飾部材２の磁石部21が磁着可能に構成されていることを特徴とする眼鏡フレームの装飾構造。
【請求項３】
磁性体12である芯金Ｃが埋入されたプラスチック製眼鏡フレーム１に、芯金Ｃが露呈した凹部14が形成され、この凹部14の芯金Ｃに対して装飾部材２の磁石部21が取着可能に構成されていることを特徴とする請求項２記載の眼鏡フレームの装飾構造。
【請求項４】
眼鏡フレーム１において装飾部材２の磁石部21又は磁性部22を嵌入可能な沈み孔部13が設けられていることを特徴とする請求項１〜３の何れか一つに記載の眼鏡フレームの装飾構造。
【請求項５】
眼鏡フレーム１に設けられた挿入孔Ｈ内にマグネット体11或いは磁性体12を嵌装してフレーム表面をフラットに形成したことを特徴とする請求項１または２に記載の眼鏡フレームの装飾構造。
【請求項６】
リムレス眼鏡Ｇの眼鏡フレーム１におけるレンズ止着部15がマグネット体11により形成され、当該レンズ止着部15に対して装飾部材２の磁石部21或いは磁性部22を磁着可能に構成されていることを特徴とする眼鏡フレームの装飾構造。
【請求項７】
リムレス眼鏡Ｇの眼鏡フレーム１におけるレンズ止着部15が磁性体11で形成され、前記レンズ止着部15に対して装飾部材２の磁石部21を磁着可能に構成されていることを特徴とする眼鏡フレームの装飾構造。
【考案の詳細な説明】
【技術分野】
【０００１】
本考案は、眼鏡フレームの装飾構造の改良、詳しくは、装飾部材の着脱を極めて容易に行うことができ、併せて、低コストで装飾部材に多種のバリエーションを付与することもでき、しかも、デザインを損なうことなく様々な形態の眼鏡フレームに対して適用可能な眼鏡フレームの装飾構造に関するものである。
【背景技術】
【０００２】
周知のとおり、眼鏡は装身具としての役割も非常に大きく、個性のあるデザインを実現するための様々な眼鏡フレームの装飾技術が開発されている。
【０００３】
そして、従来における眼鏡フレームの装飾技術の一つとしてテンプル部に装飾部材の取付け部を挟着して装飾部材を付替え可能に付設する構造が公知となっている（例えば、特許文献１参照）。
【０００４】
ところが、上記従来の装飾技術においては装飾部材を眼鏡フレームに装着した際、装飾部材の取付け部が不格好であったためテンプルのスマートなデザインが損なわれてしまうという欠点があった。
【０００５】
更に、上記技術においては、取付け部を備えた専用の装飾部材を必要としたことから、装飾部材のバリエーションを増やそうとすると製作コストが過大になってしまい、一方で装飾部材のバリエーションを少なく抑えてしまうと、オリジナリティが要求されるファッションアイテムとしての魅力が欠けてしまうという問題もあった。
【０００６】
一方、従来においては、眼鏡フレームのテンプル部に貫通孔を設けて、当該貫通孔に装飾部材のリング状の取付け部を装着して装飾部材を着脱自在に付設する技術も公知となっている（例えば、特許文献２参照）。
【０００７】
しかしながら、上記の従来技術に関しては、装飾部材としてイヤリング等の装飾品を利用することができるものの、装飾部材の着脱に伴うリング部の開閉作業が非常に煩わしかったため、装飾部材の付替えを行うには不便な構造であった。
【０００８】
加えて、上記従来の装飾構造においては、金属板等の剛性の高い芯材が埋入された眼鏡フレームに対して貫通孔を形成することが難しかったため、技術の適用範囲が限定されてしまっていた。
【０００９】
また他方、リムレス眼鏡の装飾技術としては、装飾部材をヨロイと共にレンズに止着することにより眼鏡のフロント部分に装飾部材を着脱自在に付設した技術も公知となっているが、やはり上記眼鏡フレームの装飾技術と同様の理由から装飾部材のバリエーションが充分とは云えず、また装飾部材の付替え作業も非常に煩わしかった（例えば、特許文献３参照）。
【特許文献１】登録実用新案第３０４４１９０号公報（第２−１７頁、第１〜４図）
【特許文献２】実開平５−８４９２８号公報（第２−３頁、第１〜３図）
【特許文献３】登録実用新案第３０１５７３０号公報（第２−１１頁、第１〜９図）
【考案の開示】
【考案が解決しようとする課題】
【００１０】
本考案は、この上記の問題に鑑みてなされたものであって、その目的とするところは、装飾部材の付替えが極めて容易で、併せて、多大な制作コストを要せずに装飾部材に豊富なバリエーションを付与することがこともでき、しかも、デザインを損なうことなく様々な形態の眼鏡フレームに対して適用することが可能な眼鏡フレームの装飾構造を提供することにある。
【課題を解決するための手段】
【００１１】
本考案者が、上記課題を解決するために採用した手段を添付図面を参照して説明すれば次のとおりである。
【００１２】
即ち、本考案は、眼鏡フレーム１にマグネット体11を埋設し、埋設された前記マグネット体11に対して装飾部材２の磁石部21或いは磁性部22を磁着可能に構成した点に特徴がある。
【００１３】
また、本考案においては、上記課題を解決するために、必要に応じて上記手段に加え、眼鏡フレーム１に磁性体12を埋設し、埋設された前記磁性体12に対して装飾部材２の磁石部21を磁着可能に構成するという技術的手段を採用することができる。
【００１４】
また、本考案においては、上記課題を解決するために、必要に応じて上記手段に加え、磁性体12である芯金Ｃが埋入されたプラスチック製眼鏡フレーム１に、芯金Ｃが露呈した凹部14を形成し、この凹部14の芯金Ｃに対して装飾部材２の磁石部21を取着可能に構成するという技術的手段を採用することができる。
【００１５】
更に、本考案においては、上記課題を解決するために、必要に応じて上記手段に加え、眼鏡フレーム１において装飾部材２の磁石部21又は磁性部22を嵌入可能な沈み孔部13を設けるという技術的手段を採用することができる。
【００１６】
また、本考案においては、上記課題を解決するために、必要に応じて上記手段に加え、眼鏡フレーム１に設けられた挿入孔Ｈ内にマグネット体11或いは磁性体12を嵌装してフレーム表面をフラットに形成するという技術的手段を採用することができる。
【００１７】
また、本考案においては、上記課題を解決するために、必要に応じて上記手段に加え、リムレス眼鏡Ｇの眼鏡フレーム１におけるレンズ止着部15をマグネット体11で形成し、当該レンズ止着部15に対して装飾部材２の磁石部21或いは磁性部22を磁着可能に構成するという技術的手段を採用することができる。
【００１８】
また、本考案においては、上記課題を解決するために、必要に応じて上記手段に加え、リムレス眼鏡Ｇの眼鏡フレーム１におけるレンズ止着部15を磁性体11で形成し、当該レンズ止着部15に対して装飾部材２の磁石部21を磁着可能に構成するという技術的手段を採用することができる。
【考案の効果】
【００１９】
本考案においては、眼鏡フレームにマグネット体、或いは逆に磁性体を埋設し、その埋設したマグネット体等に対して装飾部材を磁着可能に構成したことにより、装飾部材をフレームに近づけるだけで簡単かつ確実に取り付けることが可能な装飾部材の付替えに非常に便利な眼鏡フレームの装飾構造を実現した。
【００２０】
しかも、本考案の装飾構造にあっては、装飾部材に市販のマグネットピアスを転用できることから、多大なコストをかけて様々なデザインの装飾部材を作製しなくとも、装飾部材の選択に豊富なバリエーションを付与することが可能である。
【００２１】
また、装飾部材の磁性部等にフレームデザインに合わせた装飾を施したり、眼鏡フレームに磁性部等を埋没可能な沈み孔を形成したりすることによって、装飾部材を付設してもフレームデザインの意匠性が損なわれることはない。
【００２２】
更に、本考案における装飾構造は眼鏡フレームに貫通孔を設ける必要もないことから、テンプル芯を備えた眼鏡フレームに対しても適用可能である。
【００２３】
また他方、本考案者は、リムレス眼鏡におけるレンズ止着部にマグネット体、或いは逆に磁性体を使用し、そのレンズ止着部に装飾部材を磁着可能に構成したことによって、装飾部材の取付け及び変更によりフロント部の印象を変えることができる意匠性に優れた装飾構造をも案出した。
【００２４】
したがって、本考案により、着用する衣服やアクセサリーに合わせて眼鏡の雰囲気を簡単に変えることができる一方、製造コストの面でも有利なファッション用眼鏡を作製できることから、本考案の実用的利用価値は非常に高いと云える。
【考案を実施するための最良の形態】
【００２５】
『実施例１』
本考案の実施例１を具体的に図示した図１及び図２に基いて更に詳細に説明すると次のとおりである。まず、図中において符号１で指示するものは、眼鏡フレームであり、符号２で指示するものは、装飾部材である。
【００２６】
次に、本実施例の構成を以下から説明する。まず、本実施例においては、眼鏡フレーム１のテンプルＴに形成した挿入孔Ｈの底部にマグネット体11であるフェライト磁石を接着剤で固着してフレームに埋設する一方、装飾部材２の基部にも前記マグネット体11に磁着可能なフェライト磁石を使用して磁石部21を形成した（図１、図２参照）。
【００２７】
上記のように構成したことによって、フレーム１に近づけるだけで簡単に装飾部材２を取り付けることができ、またその取外しも容易であるため、装飾部材２の交換に非常に便利である。
【００２８】
なお、本考案においては、装飾部材２の磁石部21を眼鏡フレーム１のマグネット体11に磁着可能な磁性体材料から成る磁性部22であってもよく、また、眼鏡フレーム１にマグネット体11でなく磁性体12(鉄片等)を埋設し、装飾部材２に形成した磁石部21を埋設した磁性体12に磁着可能に構成してもよく、何れも上記と同様の効果を得ることができる。
【００２９】
また本実施例では、装飾部材２として市販のマグネットピアスを転用することが可能であり、それによって装飾部材２の選択のバリエーションを拡大することができるため、多種のデザインの装飾部材２を作製するコストを省略することができる。
【００３０】
更に、眼鏡フレーム１には装飾部材２の磁石部21を嵌入可能な沈み孔部13を設けたことにより、装飾部材２の磁石部21を安定してフレームに取り付けることができ、加えて、磁石部21の埋没によってフレームデザインの意匠性が損なわれることもない。
【００３１】
加えて、眼鏡フレーム１の磁石部21上にはフレーム材料に合わせて合成樹脂層Ｒを形成したことにより、装飾部材２を取り外した状態でも外観が悪化することはない。
【００３２】
なお、図３に示すように合成樹脂層Ｒを設けないことで磁石部21の磁力を最大限利用できるようにしてもよい。
【００３３】
『実施例２』
次に、本考案の実施例２を図４及び図５に基いて詳細に説明する。本実施例では、眼鏡フレーム１に挿入孔Ｈを設け、その挿入孔Ｈ内にマグネット体11を嵌装することによってフレーム表面をフラットに形成した（図４、図５参照）。
【００３４】
これにより、装飾部材２を取り外した状態であっても外観上の違和感なく眼鏡を着用することができ、また、眼鏡フレーム１に設けた沈み孔部13の開口部の縁が潰れて装飾部材２を挿入できなくなるようなこともない。
【００３５】
また、装飾部材２の磁性部22（本実施例では「鉄」）にフレームデザインに合わせて装飾石を周着したことにより、意匠性を向上させている。
【００３６】
『実施例３』
次に、本考案の実施例３を図６に基いて詳細に説明する。本実施例においては、磁性体12である鉄板材から成る芯金Ｃが埋入されたプラスチック製眼鏡フレーム１のテンプル部Ｔに、芯金Ｃが底面に露呈するように凹部14を形成し、当該凹部14の芯金Ｃに対して装飾部材２の磁石部21を取着可能に構成したことにより、テンプル芯を備えた眼鏡フレーム１であっても本考案のフレーム装飾構造を適用することが可能となる（図６参照）。
【００３７】
『実施例４』
次に、本考案の実施例４を図７に基いて詳細に説明する。本実施例では、リムレス眼鏡Ｇの眼鏡フレーム１におけるレンズＬ・Ｌの止着部15・15を磁性体12で作製し、当該レンズ止着部15・15に対して装飾部材２の磁石部21を磁着可能に構成したことより、装飾部材２の取付け及び変更によってリムレス眼鏡のフロント部の印象を容易に変えることができる（図７参照）。
【００３８】
なお、眼鏡フレーム１のレンズ止着部15をマグネット体11で形成して、装飾部材２の磁石部21或いは磁性部22を磁着可能な構造であってもよい。
【００３９】
また、本考案は、概ね上記のように構成されるが、図示の実施形態に限定されるものではなく、「実用新案登録請求の範囲」の記載内において種々の変更が可能であって、例えば、眼鏡フレーム１に使用する磁性体12、及び装飾部材２の磁性部22に使用する磁性体材料には、鉄だけでなく、コバルトやニッケル、ステンレス合金などを採用してもよい。
【００４０】
また、眼鏡フレーム１に使用するマグネット体11、及び装飾部材２の磁石部21に用いる永久磁石に、磁力が非常に強いサマリウム磁石やネオジム磁石を使用して磁着の安定性を高めてもよく、また、永久磁石に焼結磁石でなく磁粉を樹脂バインダー材料で固めて成る形態自由度の大きいプラスチック磁石を使用してもよい。
【００４１】
そして、マグネット体11又は磁性体12の埋設部分に関しても眼鏡フレーム１であればテンプルＴに限定されずヨロイ部やフロント枠であってもよく、また、眼鏡フレーム１はプラスチックフレームだけでなく図８に示すようなメタルフレームであってもよく、何れも本考案の技術的範囲に属する。
【産業上の利用可能性】
【００４２】
近年では、眼鏡デザインに高いファッション性が求められるようになり、斬新でユニークな意匠性を有する眼鏡フレームが市場において求められている。また、ファッションにおいてはオリジナリティが非常に重要となるため、装用者の個性をできるだけ反映できるデザイン選択が可能な装飾構造が好ましい。
【００４３】
そのような中で、本考案の眼鏡フレームの装飾構造は、装飾部材の付設により斬新なデザインを容易に実現できるだけでなく、その装飾部材のデザイン幅も非常に広い有用な装飾技術であることから、市場における需要は大きく、本考案の産業上の利用価値は非常に高いと云える。
【図面の簡単な説明】
【００４４】
【図１】本考案の実施例１における眼鏡フレームの装飾構造を表わす全体斜視図である。
【図２】本考案の実施例１における眼鏡フレームの装飾構造を表わす説明断面図である。
【図３】本考案の変形例における眼鏡フレームの装飾構造を表わした説明断面図である。
【図４】本考案の実施例２における眼鏡フレームの装飾構造を表わす全体斜視図である。
【図５】本考案の実施例２における眼鏡フレームの装飾構造を表わす説明断面図である。
【図６】本考案の実施例３における眼鏡フレームの装飾構造を表わす全体斜視図である。
【図７】本考案の実施例４における眼鏡フレームの装飾構造を表わす全体斜視図である。
【図８】本考案の変形例におけるメタル製眼鏡フレームの装飾構造を表わす全体斜視図である。
【符号の説明】
【００４５】
１  眼鏡フレーム
11  マグネット体
12  磁性体
13  沈み孔部
14  凹部
15  レンズ止着部
２  装飾部材
21  磁石部
22  磁性部
Ｔ  テンプル
Ｒ  合成樹脂層
Ｈ  挿入孔
Ｃ  芯金
Ｇ  リムレス眼鏡
Ｌ  レンズ
【図１】
0003137245.tif 000003
【図２】
0003137245.tif 000004
【図３】
0003137245.tif 000005
【図４】
0003137245.tif 000006
【図５】
0003137245.tif 000007
【図６】
0003137245.tif 000008
【図７】
0003137245.tif 000009
【図８】
0003137245.tif 000010